(57)【要約】【課題】超音波診断装置本体に接続したときの出力信号の信号レベルの変化に合わせ、超音波プローブのゲインを所定の値に自動調整する超音波プローブを提供する。【解決手段】超音波診断装置本体２００側に設けられた送信手段からの信号を受けて超音波ビームを被検体に送出し、被検体で反射した超音波エコーを受信する複数の振動子１０２を備えた超音波プローブであって、振動子１０２に対応した、振動子１０２からの出力信号の大きさを変更して、超音波診断装置本体２００側に設けられた受信手段へ供給するレベル可変手段１０３と、レベル可変手段１０３からの出力信号の大きさを検出するレベル検出手段１０４と、所定の大きさの基準値を発生する基準値発生手段１０６と、レベル検出手段１０４からの出力と基準値とを比較し、それらが一致するようにレベル可変手段１０３の利得の制御を行う制御手段１０９とを備える。【選択図】図１
2008188246.tif 000002
【特許請求の範囲】
【請求項１】
超音波診断装置本体側に設けられた送信手段からの信号を受けて超音波ビームを被検体に送出し、前記被検体で反射した超音波エコーを受信する複数の振動子を備えた超音波プローブであって、
前記振動子に対応した、
前記振動子からの出力信号の大きさを変更して、前記超音波診断装置本体側に設けられた受信手段へ供給するレベル可変手段と、
前記レベル可変手段からの出力信号の大きさを検出するレベル検出手段と、
所定の大きさの基準値を発生する基準値発生手段と、
前記レベル検出手段からの出力と前記基準値とを比較し、それらが一致するように前記レベル可変手段の利得の制御を行う制御手段と
を備えることを特徴とする超音波プローブ。
【請求項２】
複数ある前記レベル可変手段それぞれに供給される電源電流の総和と予め記憶している上限値とを比較する電流比較手段をさらに備え、
前記制御手段は、
前記供給される電流が前記上限値に達したときに制御を停止する
ことを特徴とする請求項１に記載の超音波プローブ。
【請求項３】
前記レベル可変手段付近の温度を計測する温度計測手段と、
前記計測した温度から温度の上昇を予測する温度予測手段と、
予め記憶している温度の上限値と前記予測された温度を比較する温度比較手段とをさらに備え、
前記制御手段は、
前記レベル可変手段付近の温度が前記温度の上限値に達したときに制御を停止する
ことを特徴とする請求項１又は請求項２に記載の超音波プローブ。
【請求項４】
前記レベル可変手段の負荷は、前記超音波診断装置本体の入力インピーダンスで決定されることを特徴とする請求項１乃至３のいずれか一つに記載の超音波プローブ
【請求項５】
超音波プローブと、
前記超音波プローブを介して被検体を超音波で走査し、受信する送受信手段と、
前記送受信手段が受信したデータに基づいて超音波画像を生成し表示手段に表示させる画像生成手段と
を備える超音波診断装置であって、
前記超音波プローブは、
超音波診断装置本体側に設けられた送信手段からの信号を受けて超音波ビームを被検体に送出し、被検体で反射した超音波エコーを受信する複数の振動子を備え、
前記振動子に対応した、
前記振動子からの出力信号の大きさを可変して、前記超音波診断装置本体側に設けられた受信手段へ供給するレベル可変手段と、
前記レベル可変手段からの出力信号の大きさを検出するレベル検出手段と、
所定の大きさの基準値を発生する基準値発生手段と、
前記レベル検出手段からの出力と前記基準値とを比較し、それらが一致するように前記レベル可変手段の利得の制御を行う制御手段と
を備えることを特徴とする超音波診断装置。
【請求項６】
前記可変レベル手段の出力を校正する校正モードに切り替える段階と、
超音波診断装置本体側に設けられた送信手段からの信号を受けて複数の振動子から超音波ビームを被検体に送出する段階と、
前記被検体で反射した超音波エコーを前記複数の振動子で受信する段階と、
レベル可変手段により、前記振動子からの出力信号の大きさを変更して、前記超音波診断装置本体側に設けられた受信手段へ供給するレベル変更段階と、
レベル検出手段により前記レベル可変手段からの出力信号の大きさを検出するレベル検出段階と、
前記レベル検出手段からの出力と予め発生している所定の大きさの基準値とを比較し、それらが一致するように前記レベル可変手段の利得の制御を行う制御段階と、
前記校正モードで前記レベル検出手段からの出力が前記基準値に一致したときに前記レベル可変手段を制御している制御信号の大きさをホールド手段に維持する段階と、
前記構成モードから超音波断層像作成のための出力を行う使用モードに切り替える段階と、
ホールド手段に維持されている制御信号の大きさを基に前記レベル可変手段を制御する段階と
を備えることを特徴とする超音波プローブ出力制御方法。
【発明の詳細な説明】
【技術分野】
【０００１】
本発明は、超音波ビームより生体を走査してその超音波エコーを取得する超音波プローブ、その超音波プローブの出力を制御する超音波プローブ出力制御方法、及び、その超音波プローブを接続して得られた超音波エコーより生体内の超音波断層像を得る超音波診断装置に関する。さらに詳しくは、超音波エコーを増幅する可変ゲイン型のアンプを備えた超音波プローブに関する。
【背景技術】
【０００２】
超音波ビームを被検体に照射し、反射された超音波エコーを受信してリアルタイムの超音波断層像を生成する超音波診断装置では、反射された超音波エコーが微弱であるため、超音波プローブに前置増幅器（プリアンプ）を設けて超音波診断装置へ出力する信号を増幅することが行われている（例えば、特許文献１参照）。このような超音波診断装置の構成を図６を参照して説明する。ここで図６は従来の超音波プローブを含む超音波診断装置の構成の図である。
【０００３】
超音波診断装置本体２００は送受信回路２１０、超音波診断装置側コネクタ２０１、信号処理部２０２、画像処理部２０３、制御回路２０４、及びユーザインタフェースである表示部２０５及び操作パネル２０６で構成されている。
【０００４】
送受信回路２１０は、送信遅延回路２１１、パルサー２１２、プリアンプ２１３、送受信切替スイッチ２１４、及び受信遅延加算回路２１５を備える。そして、送受信回路２１０は、超音波診断装置側コネクタ２０１及びプローブコネクタ１２０を介して超音波プローブ１００に接続される。
【０００５】
送信遅延回路２１１は、振動子１０２毎にタイミングの異なる駆動信号を発生する。パルサー２１２は、送信遅延回路２１１から駆動信号を受けて所定レベルの電気的パルスを発生する。送受信切換えスイッチ２０５は、超音波プローブ１００への送信側にスイッチを切換えて、パルサー２１２が発生させた電気的パルスを超音波プローブ１００側へ通過させる。さらに、送受信切換えスイッチ２０５は、プリアンプ２１３側にスイッチを切換えて、振動子１０２から送られてきた超音波エコーをプリアンプ２１３側に通過させる。ここで、送受信切換えスイッチ２０５は、半導体ダイオードなどの非線形素子で構成され、パルサー２１２から出力される振幅の大きい送信用波形を超音波プローブ１００側に通過させ、振動子１０２から送られてくる微弱なエコーはプリアンプ２１３側に通過させる機能を有する。プリアンプ２１３は、受信した超音波エコーを増幅し、送受信遅延加算回路２１５に送信する。受信遅延加算回路２１５は、増幅された超音波エコーのタイミングを振動子１０２毎に揃え信号処理部２０２に送信する。
【０００６】
超音波プローブ１００は、１列のアレイ状に配列された複数の振動子群１０２をそなえる。振動子群１０２は、送受信回路２１０から電気的パルスを受けて、指定の指定方向性を持つ超音波ビームを被検体に放射する。超音波ビームは、被検体内の構造物の境界などの音響インピーダンスの異なる界面において反射され、超音波エコーとして振動子群１０２に戻ってくる。振動子群１０２は、振動子毎にそれぞれ超音波エコーを受信し、送信遅延回路２１１に送る。
【０００７】
信号処理部２０２は、検波処理により超音波エコーのエンベロープを取り出し、画像処理部２０３へ送信する。
【０００８】
画像処理部２０３は、受信したエンベロープを被検体の断面に合わせて座標変換し、画像表示に適した階調処理などを施して表示部２０５に表示させる。
【０００９】
以上のような処理により、超音波診断装置は、図７に示すような被検体内の形態情報としての超音波断層像をリアルタイムで表示することができる。図７は超音波ビームがパルス状に放射される通常モードにおいて得られる超音波断層像（Ｂモード画像）の模式図である。
【００１０】
また、送受信回路２１０が、被検体内の血流に対して中心周波数ｆ０の超音波パルスの送受信を行うと、超音波ビームの周波数は流動する血球により、血流速度に比例するドプラ偏移ｆｄを受けてｆ０＋ｆｄの周波数の超音波エコーが受信される。信号処理部２０２がそのドプラ偏移周波数ｆｄを検出し、画像処理部２０３がそのドプラ偏移周波数ｆｄの時間的な変化を表示することで、ＰＷドプラ画像（図示しない）として表示部２０５に血流速度情報を表示させることができる。また、画像処理部２０３は、ドプラ偏移周波数ｆｄを２次元にマッピングし適切なカラー変換の後、図７の超音波断層像に重ね合わせることにより、カラードプラ画像（図示しない）を表示部２０５に表示させることができる。
【００１１】
以上のようなリアルタイムの超音波断層像を表示する超音波診断装置に用いられる超音波プローブにおいて、従来は超音波プローブに配備される振動子の数は１００〜２００個であった。これに対し近年、より精細な超音波断層像を作成することを目的として、配備される振動子の数を１０００〜２０００個に増やした超音波プローブが提供されている。しかし、超音波プローブの大きさは変わらないため、このように振動子を増やした場合、振動子が小さくなってしまい、一つの振動子が受信するエコー信号も微弱なものになってしまう。そこで、この微弱なエコーを良好に伝送するために、接続する超音波診断装置本体に整合したプリアンプやバッファーなどの電子回路を内蔵した超音波プローブが用いられるようになった。また、このような超音波プローブの場合、超音波診断装置本体から供給される大振幅の送信パルスを、超音波プローブに内蔵されたこれらの電子回路に障害を与えないように振動子に伝送するために、プローブヘッド内にも送受信切換えスイッチも内蔵されている。
【００１２】
【特許文献１】特開２００６−１１６０１８号公報
【発明の開示】
【発明が解決しようとする課題】
【００１３】
このように大きな電子回路を内蔵し各チャネル（各振動子からの出力系統）について微弱な超音波エコーを低雑音増幅またはバッファリングなどの処理を行って送受信回路に出力する形式の超音波プローブの場合、プローブ本体における発熱や消費電力を軽減するために負荷抵抗群を超音波診断装置本体側に設け、超音波プローブからは電流を出力し、超音波診断装置本体の入力部で信号電圧に変換する、電流出力型の構成を用いることが通常行われる。送受信回路のプリアンプの入力インピーダンスをそのまま用いることにより、負荷抵抗を別途必要としない構成にすることもできるが、入力インピーダンスは超音波診断装置本体により異なり、また同じ超音波診断装置本体でもチャネル毎によって大きさがばらつく。
【００１４】
このため、この形式の超音波プローブを超音波診断装置本体に接続すると、超音波診断装置の違いにより信号レベルが変化しレベル差が生じる。また、チャネル間の入力インピーダンスの偏差により、チャネル間の信号にもレベル差が生じる。このような信号レベルの差により、信号レベルが低下した場合にはノイズの影響を受け易くなったり、信号レベルが過大となった場合には信号が飽和して歪を引き起こしたりする。
【００１５】
また、チャネル間でのレベル差は超音波ビームの形成が不均一となり、感度低下の要因となるとともに、空間分解能、コントラスト分解能を低下させ、画質に悪影響を与える。
【００１６】
この発明は、このような事情に鑑みてなされたもので、超音波診断装置本体に接続したときの出力信号の信号レベルの変化に係わらず、超音波プローブのゲインを所定の値に自動調整する超音波プローブを提供することを目的としている。
【課題を解決するための手段】
【００１７】
上記目的を達成するために、請求項１に記載の超音波プローブは、超音波診断装置本体側に設けられた送信手段からの信号を受けて超音波ビームを被検体に送出し、被検体で反射した超音波エコーを受信する複数の振動子を備えた超音波プローブであって、前記振動子に対応した、前記振動子からの出力信号の大きさを変更して、前記超音波診断装置本体側に設けられた受信手段へ供給するレベル可変手段と、前記レベル可変手段からの出力信号の大きさを検出するレベル検出手段と、所定の大きさの基準値を発生する基準値発生手段と、前記レベル検出手段からの出力と前記基準値とを比較し、それらが一致するように前記レベル可変手段の利得の制御を行う制御手段とを備えることを特徴とするものである。
【００１８】
請求項５に記載の超音波診断装置は、超音波プローブと、前記超音波プローブを介して被検体を超音波で走査し、受信する送受信手段と、前記送受信手段が受信したデータに基づいて超音波画像を生成し表示手段に表示させる画像生成手段とを備える超音波診断装置であって、前記超音波プローブは、超音波診断装置本体側に設けられた送信手段からの信号を受けて超音波ビームを被検体に送出し、被検体で反射した超音波エコーを受信する複数の振動子を備え、前記振動子に対応した、前記振動子からの出力信号の大きさを可変して、前記超音波診断装置本体側に設けられた受信手段へ供給するレベル可変手段と、前記レベル可変手段からの出力信号の大きさを検出するレベル検出手段と、所定の大きさの基準値を発生する基準値発生手段と、前記レベル検出手段からの出力と前記基準値とを比較し、それらが一致するように前記レベル可変手段の利得の制御を行う制御手段とを備えることを特徴とするものである。
【００１９】
請求項６に記載の超音波プローブ出力制御方法は、前記可変レベル手段の出力を校正する校正モードに切り替える段階と、超音波診断装置本体側に設けられた送信手段からの信号を受けて複数の振動子から超音波ビームを被検体に送出する段階と、前記被検体で反射した超音波エコーを前記複数の振動子で受信する段階と、レベル可変手段により、前記振動子からの出力信号の大きさを変更して、前記超音波診断装置本体側に設けられた受信手段へ供給するレベル変更段階と、レベル検出手段により前記レベル可変手段からの出力信号の大きさを検出するレベル検出段階と、前記レベル検出手段からの出力と予め発生している所定の大きさの基準値とを比較し、それらが一致するように前記レベル可変手段の利得の制御を行う制御段階と、前記校正モードで前記レベル検出手段からの出力が前記基準値に一致したときに前記レベル可変手段を制御している制御信号の大きさをホールド手段に維持する段階と、可変レベル手段から前記受信手段へ超音波断層像作成のための出力を行う使用モードに切り替える段階と、ホールド手段に維持されている制御信号の大きさを基に前記レベル可変手段を制御する段階とを備えることを特徴とするものである。
【発明の効果】
【００２０】
請求項１に記載の超音波プローブ、請求項６に記載の超音波診断装置、及び請求項７に記載の超音波プローブ出力制御方法によると、出力信号のレベルを基準値に一致する大きさに自動的に調整することができる。これにより、超音波診断装置本体における入力インピーダンスのばらつきを抑え、信号レベルの低下によるノイズの影響の増大及び、信号レベルの増加による信号波形の歪みを軽減することができ、Ｓ／Ｎ比を改善することができる。また、受信チャネルごとの入力インピーダンスのばらつきを抑え、各信号レベルを均一とすることで、超音波画像を精度良く生成することが可能となる。
【発明を実施するための最良の形態】
【００２１】
〔第１の実施形態〕
本実施形態における超音波プローブ１００は、図６に示す背景技術に記載した従来の超音波診断装置と同様、本体側プローブコネクタ２１０及びプローブコネクタ１２０を介して超音波診断装置本体２００と接続して用いられるものである。また、本実施形態に係る超音波プローブ１００は、使用モードと校正モードという２つのモードを有する。そして、超音波診断装置本体２００側には、図示はしないが使用モードと構成モードの切り替えを行う切替手段を有し、この切替手段の指示で、超音波プローブは使用モードと構成モードに切り替えられて動作する。この切替手段は電源投入時や異なる超音波診断装置本体２００に超音波プローブ１００に接続を変更したときなど、予め決められた超音波診断装置本体２００の入力インピーダンスが変わった可能性がある場合に、校正モードへの切り替えを行う。さらに、校正モードにおける超音波プローブ１００の校正が終了すると、切替手段は使用モードへの切り替えを行う。
【００２２】
そこで、本実施形態に係る超音波プローブ１００の特徴である出力の制御について説明する。図１は本実施形態に係る超音波プローブ１００の一部を取り出したブロック図である。また、図２は本発明に係る超音波プローブの実際の物理構成の概略を示す図である。実際の超音波プローブでは、図１に示す振動子１０２は図２に示すように複数個あり、また、レベル可変手段１０３及びレベル検出手段１０４は図２に示すように振動子１０２と同数設けられている。さらに、本実施形態に係る超音波プローブ１００の負荷は超音波診断装置本体２００の負荷２２０に基づく入力インピーダンスによって決定される。そして、負荷２２０へ電流で信号が供給される。また、図２では小型化のためプローブコネクタ１２０の中に、送受信切替スイッチ１０１、レベル可変手段１０３、レベル検出手段１０４、基準値発生手段１０６、及び制御手段１０９が配置されているが、これは、プローブコネクタの外部に配置してもよい。
【００２３】
（校正モードの場合）
本実施形態に係る超音波プローブ１００は、超音波診断装置本体２００に設けられた送受信回路２１０から送られてきた電気的パルスを受ける。ここで、送受信回路２１０は、図示はしないが、超音波プローブ１００に信号を送信する送信手段及び、超音波プローブ１００からの信号を受信する受信手段を有する。
【００２４】
送受信切替スイッチ１０１は、振動子１０２側と超音波診断装置２００側に切替可能なスイッチを備えている。信号が超音波診断装置本体２００から送られてきた場合、送受信切替スイッチ１０１は、振動子１０２側にスイッチを切り替えて振動子１０２に該信号を通過させる。また、送受信切替スイッチ１０１は、レベル可変手段１０３から信号が送られてきた場合、超音波診断装置本体２００側にスイッチを切り替えて超音波診断装置本体２００に該信号を通過させる。
【００２５】
プローブヘッド１１０は、複数の振動子１０２を備える。振動子１０２は、電極とその電極に挟まれる圧電素子で構成されている。振動子１０２は、受信した信号を超音波ビームに変換し、その超音波ビームをダミーの被検体に向けて送出する。そして、振動子１０２は、ダミーの被検体で反射された超音波エコーを受信し、受信した超音波エコーを出力信号に変換する。そして、振動子１０２は出力信号をレベル可変手段１０３に送る。
【００２６】
ここで、図２に示すように、実際にはプローブヘッド１１０内にも、ヘッド内切替スイッチ１２１及びヘッド内増幅器１２２が配置されている。そして、ヘッド内切替スイッチ１２１は送受信切替スイッチ１０１から送られてきた信号を振動子１０２側に通過させる。また、振動子１０２から送られてきた出力信号はヘッド内増幅器１２２で増幅され、ヘッド内切替スイッチ１２１の切り替えによってレベル可変手段１０３側に通過させられる。
【００２７】
本実施形態では、超音波プローブの動作のチェックも行うために、超音波診断装置本体２００からの信号を使用しダミーの被検体を走査することでレベル可変手段１０３の校正用の信号を作り出しているが、受信側の経路のチェックを必要としない場合などは、プローブヘッド１１０からの出力信号と等価のダミー信号をレベル可変手段１０３に直接送信する構成でもよい。
【００２８】
レベル可変手段１０３は、図３に示すような可変増幅手段（可変ゲインアンプ）で構成される。ただし、レベル可変手段１０３は、この構成に限定されるものではなく、レベル可変手段１０３における利得を変更できる構成であればよく、増幅手段及び可変減衰手段で構成されるものでもよい。また、図３に示す可変増幅手段の例はコントローラによって電圧を変えることでバイアス電流ＩＥを変更し、出力信号の大きさを変更する構成である。ただし、この可変増幅手段はこの構成に限定されるものではなく、出力信号の大きさを変更できる構成であればよく、例えば、抵抗を切り替えることで出力信号の大きさを変更するような構成でもよい。
【００２９】
レベル可変手段１０３における可変増幅手段は、バイアス電流の変更による利得率の変更に基づいて、プローブヘッド１１０から送られてきた出力信号のレベルを変更する。校正モードの場合、レベル可変手段１０３は変更した出力信号をレベル検出手段１０４に送信する。
【００３０】
レベル検出手段１０４は、例えばダイオードで構成され、レベル可変手段１０３から受けた出力信号を直流電圧に変換することによって、出力信号の大きさを検出する。
【００３１】
基準値発生手段１０６は、超音波診断装置本体２００からカラー画像表示やモノクロ画像表示などの動作モードの情報を受けて、その動作モードに対応して予め決められた大きさを有する直流電圧を発生する。ここで、本実施形態では基準値を得るため直流電圧を発生しているが、これは基準値が得られる構成ならば特に限定はなく、例えば、予め決められた直流電圧の大きさの値を比較手段１０５に送る構成でもよい。
【００３２】
制御手段１０９は、比較手段１０５、レベル制御手段１０７、及び、ホールド手段１０８で構成されている。
【００３３】
比較手段１０５及びレベル制御手段１０７をアナログで構成して制御を行う場合、比較手段１０５はレベル可変手段１０３からの出力信号である直流電圧と基準値発生手段１０６からの直流電圧の差を取り、その差を増幅する。さらに、比較手段１０５は、レベル可変手段１０３からの出力信号の大きさが基準値に一致した場合、ホールド手段１０８にそのときの出力を維持させる。ここで、ホールド手段１０８は、各チャネル毎に出力を記憶している。ホールド手段１０８の例としては、制御手段１０９がアナログでの制御を行っている場合にはコンデンサである。
【００３４】
レベル制御手段１０７は、レベル可変手段１０３からの出力信号の大きさを基準値発生手段１０６が発生した直流電圧の大きさに一致させるよう、増幅された値でレベル可変手段１０３を制御する。例えば、出力信号のレベルが基準値よりも低い場合には、レベル可変手段１０３の利得を上げるように負帰還させる。そして、使用モードの場合には、レベル制御手段１０７は、ホールド手段１０８に維持されている出力に基づいて制御する。
【００３５】
比較手段１０５及びレベル制御手段１０７をＣＰＵで構成してしてデジタルで制御を行う場合、比較手段１０５は、レベル可変手段１０３からの出力信号である直流電圧と基準値発生手段１０６からの直流電圧をそれぞれＡ／Ｄ変換し、それらの変換した値を比較する。さらに比較手段１０５は、レベル可変手段１０３からの出力信号の大きさが基準値に一致した場合、そのときのレベル可変手段１０３を制御した制御信号の大きさをホールド手段１０８に維持させる。ここで、ホールド手段１０８は、各チャネル毎に該制御信号の大きさを記憶している。ホールド手段１０８の例としては、制御手段１０９においてＣＰＵを使用してレベル可変手段１０３の制御を行っている場合にはメモリである。
【００３６】
また、本実施形態では、レベル可変手段１０３からの出力信号の大きさが基準値に一致したときの比較手段１０５の出力をホールド手段１０８に維持させているが、これは、レベル可変手段１０３からの出力信号の大きさが基準値に一致したときに、レベル制御手段１０７によってレベル可変手段１０３が制御された制御信号の大きさを維持させておく構成でもよい。
【００３７】
（使用モード）
本実施形態における超音波プローブ１００は、図６に示す従来の超音波診断装置と同様、送受信回路２１０から送られてきた信号（電気的パルス）を受ける。
【００３８】
送受信切替スイッチ１０１は、校正モードと同様、信号が超音波診断装置本体２００から送られてきた場合、送受信切替スイッチ１０１は、送受信回路２１０からの信号送信時には振動子１０２側にスイッチを切り替えて振動子１０２側に該信号を送り、送受信回路２１０による信号受信時には、超音波診断装置本体２００側にスイッチを切り替えて超音波診断装置本体２００側にレベル可変手段１０３から送られてきた信号を送る。
【００３９】
振動子１０２は、図２に示すヘッド内切替スイッチ１２１を介して受信した信号を超音波ビームに変換し、その超音波ビームを実際の被検体に向けて送出する。そして、振動子１０２は、該被検体で反射された超音波エコーを受信し、受信した超音波エコーを出力信号に変換する。そして、振動子１０２は出力信号をレベル可変手段１０３に送る。この出力信号は、図２に示すヘッド内増幅手段１２２で増幅した後、ヘッド内切替スイッチ１２１を介してレベル可変手段１０３に送られる。
【００４０】
レベル制御手段１０７は、使用モードに切り替わった時点で比較手段１０５からのラインを切断する。
【００４１】
レベル制御手段１０７は、ホールド手段１０８に維持されている制御信号の値を取得する。そして、レベル制御手段１０７は、取得した制御信号の値を基に、校正時にレベル可変手段１０３からの出力信号の大きさが基準値発生手段１０６が発生した基準値と一致したときと同じ値で制御する。
【００４２】
そして、レベル可変手段１０３は、レベル制御手段１０７からの制御信号を受けて出力信号の大きさの変更を行い、超音波診断装置本体２００に設けられた送受信回路２１０に向けて出力する。
【００４３】
さらに、本実施形態に係る超音波プローブ１００が接続された超音波診断装置は、従来の超音波診断装置と同様、超音波プローブ１００から送出された出力信号を、送受信回路２１０で増幅しタイミングを合わせた後、信号処処理部２０２及び画像処理部２０３で画像処理を行い、超音波断層像を表示部２０５に表示する。
【００４４】
次に、図４を参照して本実施形態に係る超音波プローブの構成モードにおける動作及び使用モードにおける動作を説明する。ここで、図４は超音波プローブの動作のフローチャートの図である。
【００４５】
ステップＳ００１：切替手段により校正モードと使用モードの切替が行われる。構成モードの場合ステップＳ００２に進み、使用モードの場合ステップＳ０１２に進む。
【００４６】
ステップＳ００２：振動子１０２は、送受信回路２１０から送られてきた信号を超音波に変換して被検体のダミーを走査する。
【００４７】
ステップＳ００３：振動子１０２は、増幅手段１０３に出力信号を送信する。
【００４８】
ステップＳ００４：レベル可変手段１０３は、出力信号のレベルを変更しレベル検出手段１０４に送信する。
【００４９】
ステップＳ００５：レベル検出手段１０４は、受信した出力信号を直流に変換し出力する。
【００５０】
ステップＳ００６：基準値発生手段１０６は、超音波診断装置のモードに合わせた基準値を有する直流電圧を比較手段１０５に送る。
【００５１】
ステップＳ００７：比較手段１０５は、レベル検出手段１０４の出力信号及び基準値のそれぞれの大きさを比較する。ここで、ＣＰＵによるデジタルでの制御の場合は、レベル検出手段１０４の出力信号及び基準値をＡ／Ｄ変換した後比較を行う。
【００５２】
ステップＳ００８：レベル制御手段１０７は、出力信号を基準値が一致しているか否かを判断する。一致していな意場合はステップＳ００９に進み、一致している場合はステップＳ０１０に進む。
【００５３】
ステップＳ００９：レベル制御手段１０７は、出力信号と基準値の比較に基づいてレベル可変手段１０３の制御を行い、ステップＳ００２に進む。
【００５４】
ステップＳ０１０：比較手段１０５は、出力信号と基準値とが一致したときの出力値をホールド手段１０８に維持させる。
【００５５】
ステップＳ０１１：レベル制御手段１０７は、制御を停止する。
【００５６】
ステップＳ０１２：レベル制御手段１０７は、ホールド手段１０８に維持されている制御信号の値を基に、レベル可変手段１０３の出力が基準値と一致するように制御する。
【００５７】
ステップＳ０１３：振動子１０２は、送受信回路２１０から送られてきた信号を超音波ビームに変換し実際の被検体を走査する。
【００５８】
ステップＳ０１４：振動子１０２は、受けた超音波エコーを信号に変え、レベル可変手段１０３に向けて出力する。
【００５９】
ステップＳ０１５：レベル可変手段１０３は、受けた出力信号のレベルを変更し、送受信切替スイッチ１０１を介して送受信回路２１０へ送信する。
【００６０】
以上のように、本実施形態に係る超音波プローブ１００は、基準値と一致するようにレベル可変手段１０３を変化させる。これにより、負荷２２０として使用している超音波診断装置本体２００の入力インピーダンスのバラつきによる出力信号のレベルの変化を抑えて、Ｓ／Ｎ比を改善することができるとともに、受信チャネル毎の各信号レベルを均一とすることで、超音波画像を精度良く生成することが可能となる。
【００６１】
〔第２の実施形態〕
本実施形態に係る超音波プローブは、第１の実施形態に係る超音波プローブにおいて、レベル可変手段１０３に供給される電流の上限及び、レベル可変手段１０３付近の温度の上限に達した場合に制御を停止し、そのときの制御信号の値を維持する構成である。
【００６２】
図５は本実施形態に係る超音波プローブの機能を表すブロック図である。図５に示すように本実施形態における超音波プローブは第１の実施形態に係る超音波プローブに、電流計１１１、電流比較手段１１３、温度計測手段１１４、温度予測手段１１５、温度比較手段１１６を備えたものである。そして、使用モードの動作は第１の実施形態と同様であるので、以下では、校正モードの場合のみを説明する。
【００６３】
本実施形態に係る超音波プローブにおいても、第１の実施形態の超音波プローブと同様に超音波診断装置本体２００から送信された信号を基に、振動子１０２で被検体のダミーを走査し、超音波エコーを信号に変えてヘッド内増幅手段１２２で増幅し、レベル可変手段１０３に出力する。レベル可変手段１０３は出力信号のレベルを変更し出力する。レベル検出手段１０４は直流電圧に変換し出力する。比較手段１０５は、アナログでの制御の場合には基準値発生手段１０６で発生された基準値を有する直流電圧と、レベル検出手段１０４の出力をそのまま比較し、ＣＰＵによるデジタルでの制御の場合にはＡ／Ｄ変換した後比較する。レベル制御手段１０７は、レベル可変手段１０３の出力の大きさが基準値と一致するようにレベル可変手段１０３を制御する。
【００６４】
電源１１２はレベル可変手段１０３に電気を供給している。図５に示す太いラインは電源供給ラインである。ここで、図５は模式的に一部を取り出して図示しているが、実際には図２に示すように電源１１２は複数あるレベル可変手段１０３全てに電流を供給している。
【００６５】
電流計１１１は、電源１１２から複数あるレベル可変手段１０３それぞれに供給されている電源電流を計測し、そのそれぞれのレベル可変手段１０３に供給されている各電源電流を全て足し合わせることで、電源電流から送られる全ての電流の総和を計測している。
【００６６】
電流比較手段１１３は、予めレベル可変手段１０３の電流の定格を基に全てのレベル可変手段１０３に供給可能な上限値を記憶している。そして、電流比較手段１１３は、電流系１１１から電流の計測値を受けて、記憶している上限値を供給電流が超えていないか否かを判断する。供給電流が上限値を超えている場合には、電流比較手段１１３は、レベル制御手段１０７に信号を送る。
【００６７】
温度計測手段１１４は、レベル可変手段１０３の付近の温度を計測している。ここで、図５は模式的に一部を取り出して図示しているが、実際には図２に示すように、温度計測手段１１４は複数あるレベル可変手段１０３の全てに配置されており、それぞれ付近の温度を計測している。ここで、図５に示す点線はレベル可変手段１０３付近の温度を計測していることを表わしている。
【００６８】
温度予測手段１１５は、統計的な温度上昇率と一定時間後の温度の関係を記憶している。そして、温度予測手段１１５は、所定の時間における温度の情報を温度計測手段１１４から受けて、温度上昇率を算出し、記憶している温度上昇率と一定時間ごの温度の関係から一定時間後のレベル可変手段１０３付近の温度を予測する。
【００６９】
温度比較手段１１６は、予めレベル可変手段１０３の温度の上限値を記憶している。そして、温度比較手段１１１６は、温度予測手段１１５が予測した温度と上限値を比較する。温度比較手段１１６は、予測温度が上限値を超えた場合にはレベル制御手段１０７に信号を送る。
【００７０】
レベル制御手段１０７は、電流比較手段１１３又は温度比較手段１１６から信号を受けると、レベル可変手段１０３の制御を停止しその停止した時点での状態を保持する。この制御の停止は、レベル可変手段１０３の出力の大きさを基準値に一致させる制御に優先する。
【００７１】
レベル制御手段１０７は、制御を停止した時点における、レベル可変手段１０３を制御していた制御信号の値をホールド手段１０８に維持させる。使用モードではレベル制御手段１０７は、ホールド手段１０８に維持されている該制御信号の値を基にレベル可変手段１０３の制御を行う。
【００７２】
以上のように、本実施形態にかかる超音波プローブでは、供給電流の上限値又は温度の上限値を超えたときに制御を停止させその時点での状態を保持させることができる。これにより、レベル可変手段１０３の信号出力の制御により、消費電力や発熱が過大になる状態を回避することが可能となる。
【図面の簡単な説明】
【００７３】
【図１】第１の実施形態に係る超音波プローブのブロック図
【図２】本発明に係る超音波プローブの物理構成の概略を示す図
【図３】レベル可変手段の一例を示す図
【図４】第１の実施形態に係る超音波プローブの動作のフローチャートの図
【図５】第２の実施形態に係る超音波プローブのブロック図
【図６】超音波診断装置の構成の概要を説明するための図
【図７】超音波断層像（Ｂモード画像）の模式図
【符号の説明】
【００７４】
１００  超音波プローブ
１０１  送受信切替スイッチ
１０２  振動子
１０３  レベル可変手段
１０４  レベル検出手段
１０５  比較手段
１０６  基準値発生手段
１０７  レベル制御手段
１０８  ホールド手段
１０９  制御手段
１１０  プローブヘッド
１１１  電流計
１１２  電源
１１３  電流比較手段
１１４  温度計測手段
１１５  温度予測手段
１１６  温度比較手段
１２０  プローブコネクタ
１２１  ヘッド内切替スイッチ
１２２  ヘッド内増幅器
２００  超音波診断装置本体
２０１  超音波診断装置側コネクタ
２０２  信号処理部
２０３  画像処理部
２０４  制御回路
２０５  表示部
２０６  操作パネル
２１０  送受信回路
２１１  送信遅延回路
２１２  パルサー
２１３  プリアンプ
２１４  送受信切替スイッチ
２１５  受信遅延加算回路
２２０  負荷
【図１】
2008188246.tif 000003
【図２】
2008188246.tif 000004
【図３】
2008188246.tif 000005
【図４】
2008188246.tif 000006
【図５】
2008188246.tif 000007
【図６】
2008188246.tif 000008
【図７】
2008188246.tif 000009